(57)【要約】【課題】サッシの障子を構成する召合わせ框について、火災発生時に煙返し部の噛み合わせ状態が維持されなくても隙間の発生を防止することのできるサッシを提供する。【解決手段】召合わせ框２３の上端部には、上枠１０に形成される上レール部１０ｄ、１０ｅを飲み込んで該上レールに摺接する召合わせ振止部材２４が設けられ、召合わせ振止部材２４は、金属からなる本体部品２５と、本体部品の端部に取付けられる樹脂製の摺動部品２６とからなり、本体部品２５は上レール部１０ｄ、１０ｅの厚みより幅広の金属溝部２５ｅを有し、摺動部品２６は上レール部１０ｄ、１０ｅに摺接する摺接部２６ｂを有し金属溝部２５ｅと連続する樹脂溝部２６ａを有してなる。【選択図】図１５
2013113063.tif 000002
【特許請求の範囲】
【請求項１】
上下枠と左右の縦枠を枠組みしてなる枠体に、上下框と縦框及び召合わせ框を框組みしてなる框体を有する内障子と外障子を納めてなるサッシにおいて、
前記召合わせ框の上端部には、前記上枠に形成される上レール部を飲み込んで該上レールに摺接する召合わせ振止部材が設けられ、
前記召合わせ振止部材は、金属からなる本体部品と、該本体部品に取付けられる樹脂製の摺動部品とからなり、前記本体部品は前記上レール部の厚みより幅広の金属溝部を有し、前記摺動部品は前記上レール部に摺接する摺接部を有し前記金属溝部と連続する樹脂溝部を有してなることを特徴とするサッシ。
【請求項２】
前記上枠の上レール部は、前記召合わせ振止部材により飲み込まれる先端部より根元側部が、前記本体部品の金属溝部と同等の厚みを有してなることを特徴とする請求項１記載のサッシ。
【請求項３】
前記本体部品は上下面部と両側面部とを有し、該両側面部にそれぞれ金属溝部が形成され、前記上面部には前記両側面部の金属溝部を連続させる上面溝部が形成され、前記摺動部品は少なくとも一方の側面部に取付けられると共に、前記上面部には前記上面溝部の縁部を覆う軟質材からなる上面部品が取付けられることを特徴とする請求項１または２記載のサッシ。
【請求項４】
前記上枠の上レール部は根元から先端までが略同じ厚みに形成され、前記上枠には前記上レール部の根元側部に重合して前記本体部品の金属溝部と同等の厚みとする金属製の増厚部材が取付けられることを特徴とする請求項１〜３のいずれか１項に記載のサッシ。
【請求項５】
前記上枠には前記内障子を案内する内上レール部と、前記外障子を案内する外上レール部とが形成され、前記増厚部材は前記内上レール部と外上レール部との間に固定され、前記内上レール部の根元側部と重合する内側フィン部と、前記外上レール部の根元側部と重合する外側フィン部とを有してなることを特徴とする請求項４記載のサッシ。
【請求項６】
上下枠と左右の縦枠を枠組みしてなる枠体に、上下框と縦框及び召合わせ框を框組みしてなる框体を有する内障子と外障子を納めてなるサッシにおいて、
前記召合わせ框の上端金属部分には、前記上枠に形成される上レール部を飲み込む凹状部が設けられ、該凹状部は、前記上レール部を飲み込む開口部分よりも奥側が狭く形成されてなることを特徴とするサッシ。
【発明の詳細な説明】
【技術分野】
【０００１】
本発明は、建物開口部に設けられる枠体内に内外障子を納めたサッシに関し、特に火災発生時において高温に晒されても内外障子の位置関係を保つことで隙間を発生させないようにしたサッシに関する。
【背景技術】
【０００２】
建物開口部に設けられるサッシにおいて、枠体内に内外障子を引き違い状に納めてなる引き違いサッシが広く用いられている。引き違いサッシを含むサッシには、火災が発生した場合にも、一定時間以上、閉塞状態を維持する防火性能が求められる。防火性能を十分に確保するためには、サッシが高温に晒されたとしても、サッシを構成する枠体と障子との位置関係をそのままに保つことで、枠体と障子の間に隙間を生じさせないようにすることが重要である。
【０００３】
サッシには、樹脂製のサッシはもちろんのこと、金属製のサッシにおいても、樹脂部材が各所に用いられている。このような樹脂部材は、火災時の高温に晒されると溶融するから、樹脂部材が溶融しても枠体と障子の位置関係が保たれるようにする必要がある。樹脂サッシにおいては、例えば枠体側と障子側にそれぞれ金属製の部品を設け、火災発生時にはそれらが掛かり合うようにすることで、障子の脱落を防ぐようにしたものが知られている。このようなサッシとしては、例えば特許文献１に挙げるようなものがある。
【先行技術文献】
【特許文献】
【０００４】
【特許文献１】特開２０１０−２６５６４６号公報
【発明の概要】
【発明が解決しようとする課題】
【０００５】
金属製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲する。
【０００６】
内外障子の召合わせ部分においては、障子が閉じた状態で互いに噛み合う煙返し部が設けられるが、火災に伴い部材の屈曲が発生すると、煙返し部が離れてしまい、内外障子の間に隙間が生じるから、その隙間から火炎が侵入し、防火性能を十分に確保することができない。したがって、火災によって煙返し部が離れても、隙間が生じないように対策する必要がある。
【０００７】
本発明は前記課題を鑑みてなされたものであり、サッシの障子を構成する召合わせ框について、火災発生時に煙返し部の噛み合わせ状態が維持されなくても隙間の発生を防止することのできるサッシを提供することを目的とする。
【課題を解決するための手段】
【０００８】
前記課題を解決するため、本発明に係るサッシは、上下枠と左右の縦枠を枠組みしてなる枠体に、上下框と縦框及び召合わせ框を框組みしてなる框体を有する内障子と外障子を納めてなるサッシにおいて、
前記召合わせ框の上端部には、前記上枠に形成される上レール部を飲み込んで該上レールに摺接する召合わせ振止部材が設けられ、
前記召合わせ振止部材は、金属からなる本体部品と、該本体部品に取付けられる樹脂製の摺動部品とからなり、前記本体部品は前記上レール部の厚みより幅広の金属溝部を有し、前記摺動部品は前記上レール部に摺接する摺接部を有し前記金属溝部と連続する樹脂溝部を有してなることを特徴として構成されている。
【０００９】
また、本発明に係るサッシは、前記上枠の上レール部は、前記召合わせ振止部材により飲み込まれる先端部より根元側部が、前記本体部品の金属溝部と同等の厚みを有してなることを特徴として構成されている。
【００１０】
さらに、本発明に係るサッシは、前記本体部品は上下面部と両側面部とを有し、該両側面部にそれぞれ金属溝部が形成され、前記上面部には前記両側面部の金属溝部を連続させる上面溝部が形成され、前記摺動部品は少なくとも一方の側面部に取付けられると共に、前記上面部には前記上面溝部の縁部を覆う軟質材からなる上面部品が取付けられることを特徴として構成されている。
【００１１】
さらにまた、本発明に係るサッシは、前記上枠の上レール部は根元から先端までが略同じ厚みに形成され、前記上枠には前記上レール部の根元側部に重合して前記本体部品の金属溝部と同等の厚みとする金属製の増厚部材が取付けられることを特徴として構成されている。
【００１２】
そして、本発明に係るサッシは、前記上枠には前記内障子を案内する内上レール部と、前記外障子を案内する外上レール部とが形成され、前記増厚部材は前記内上レール部と外上レール部との間に固定され、前記内上レール部の根元側部と重合する内側フィン部と、前記外上レール部の根元側部と重合する外側フィン部とを有してなることを特徴として構成されている。
【００１３】
また、本発明に係るサッシは、上下枠と左右の縦枠を枠組みしてなる枠体に、上下框と縦框及び召合わせ框を框組みしてなる框体を有する内障子と外障子を納めてなるサッシにおいて、
前記召合わせ框の上端金属部分には、前記上枠に形成される上レール部を飲み込む凹状部が設けられ、該凹状部は、前記上レール部を飲み込む開口部分よりも奥側が狭く形成されてなることを特徴として構成されている。
【発明の効果】
【００１４】
本発明に係るサッシによれば、召合わせ框上端部に設けられる召合わせ振止部材は、金属からなる本体部品と、本体部品の端部に取付けられる樹脂製の摺動部品とからなり、本体部品は上レール部の厚みより幅広の金属溝部を有し、摺動部品は上レール部に摺接する摺接部を有し金属溝部と連続する樹脂溝部を有してなることにより、簡易な構成で確実に火災発生時において煙返し部の噛み合い状態が維持されなくても隙間が発生することを防止できる。
【００１５】
また、本発明に係るサッシによれば、上枠の上レール部は、召合わせ振止部材により飲み込まれる先端部より根元側部が、本体部品の金属溝部と同等の厚みを有しているので、召合わせ框が上枠側に近づいた際に、本体部品の金属溝部が上レール部の根元側部に嵌って、より確実に振止めをなすことができる。
【００１６】
さらに、本発明に係るサッシによれば、本体部品の両側面部にそれぞれ金属溝部が形成され、上面部には両側面部の金属溝部を連続させる上面溝部が形成され、摺動部品は少なくとも一方の側面部に取付けられると共に、上面部には上面溝部の縁部を覆う軟質材からなる上面部品が取付けられることにより、通常時には金属製の本体部品が上枠のレール部に当接せず、樹脂製の部品のみが確実に摺接するようにすることができ、障子の円滑な開閉をなすことができる。
【００１７】
さらにまた、本発明に係るサッシによれば、上枠の上レール部は根元から先端までが略同じ厚みに形成され、上枠には上レール部の根元側部に重合して本体部品の金属溝部と同等の厚みとする金属製の増厚部材が取付けられることにより、上レール部の厚みを簡易な部品で大きくすることができる。
【００１８】
そして、本発明に係るサッシによれば、増厚部材は内上レール部と外上レール部との間に固定され、内上レール部の根元側部と重合する内側フィン部と、外上レール部の根元側部と重合する外側フィン部とを有してなることにより、１つの部品で内上レール部と外上レール部の厚みを大きくすることができ、部品点数を少なくすることができる。
【００１９】
また、本発明に係るサッシによれば、召合わせ框の上端金属部分には、上枠に形成される上レール部を飲み込む凹状部が設けられ、凹状部は、上レール部を飲み込む開口部分よりも奥側が狭く形成されてなることにより、簡易な構成で確実に火災発生時において煙返し部の噛み合い状態が維持されなくても隙間が発生することを防止できる。
【図面の簡単な説明】
【００２０】
【図１】本実施形態のサッシの縦断面図である。
【図２】本実施形態のサッシの横断面図である。
【図３】外障子の召合わせ框の平面図である。
【図４】内障子の召合わせ框の平面図である。
【図５】召合わせ振止部材の正面図である。
【図６】本体部品の斜視図である。
【図７】本体部品の正面図である。
【図８】上面部品の斜視図である。
【図９】召合わせ振止部材の側面図である。
【図１０】上枠の召合わせ部分における縦断面図である。
【図１１】増厚部材と上面ヒレ部材及び上ストッパー部材の配置関係を表した平面図である。
【図１２】増厚部材と上面ヒレ部材及び上ストッパー部材の配置関係を表した側面図である。
【図１３】ビスによる外障子ストッパー部の高さ調整について表した図である。
【図１４】外れ止め部品を有する位置における下枠付近の拡大縦断面図である。
【図１５】火災発生時における上枠と召合わせ振止部材を構成する本体部品との位置関係を表した拡大縦断面図である。
【図１６】第２の実施例の本体部品の斜視図である。
【図１７】召合わせ框の形状によって振止めをなすサッシの縦断面図である。
【図１８】火災発生時の状態における上枠と框体との関係を表した拡大縦断面図である。
【図１９】内障子の上框に振止部品を適用した場合の上枠付近拡大縦断面図である。
【図２０】振止部品の平面図である。
【図２１】火災発生時の状態における上枠と上框の位置関係を表した拡大縦断面図である。
【発明を実施するための形態】
【００２１】
本発明の実施形態について図面に沿って詳細に説明する。図１には本実施形態のサッシの縦断面図を、図２には本実施形態のサッシの横断面図を、それぞれ示している。これら各図に示すように、本実施形態のサッシは、建物開口部に取付けられる枠体１内に、内障子２と外障子３を引き違い状に納めてなる引き違いサッシである。
【００２２】
枠体１は、いずれも金属材からなる上枠１０と下枠１１及び左右の縦枠１２、１２を方形状に枠組みして構成されている。内障子２と外障子３は、それぞれいずれも金属材からなる上框２０と下框２１、縦框２２及び召合わせ框２３を方形状に框組みしてなる框体４内に、ガラス板からなるパネル体５を納めて構成されている。
【００２３】
枠体１を構成する上枠１０は、内周面１０ａの室内外端部からそれぞれ垂直方向に伸びる室内側面１０ｂと室外側面１０ｃを備え、これら室内側面１０ｂと室外側面１０ｃの間には、内障子２の上辺を長手方向に案内する内上レール部１０ｄと、外障子３の上辺を長手方向に案内する外上レール部１０ｅとが、それぞれ内周面１０ａから突出状に形成されている。
【００２４】
枠体１を構成する下枠１１は、内周面１１ａが室内外方向に段差を有するように形成されており、室内側が高く、室外側が低くなっている。この内周面１１ａのうち高い側の室内側には、内障子２の下辺を長手方向に案内する内レール部１１ｂが、内周面１１ａのうち低い側の室外側には、外障子３の下辺を長手方向に案内する外レール部１１ｃが、それぞれ突出状に形成されている。
【００２５】
下枠１１の室内側面には、内障子２を構成する下框２１の室内側面と対向する内障子対向部１１ｄが形成され、その先端部には気密材１１ｆが設けられて、この気密材１１ｆが内障子２の室内側面に当接することで、内障子２下辺の気密性を確保している。また、下枠１１には、内レール部１１ｂの下部から室外側に突出し外障子３を構成する下框２１の室内側面と対向する外障子対向部１１ｅが形成され、その先端部には気密材１１ｆが設けられて、この気密材１１ｆが外障子３の室内側面に当接することで、外障子３下辺の気密性を確保している。
【００２６】
枠体１を構成する縦枠１２は、内周面１２ａの室内外端部からそれぞれ垂直方向に伸びる室内側面１２ｂと室外側面１２ｃを備えている。縦枠１２のうち、閉じた状態の内障子２が配置される側の内周面１２ａには、内障子２の外周面に向かって突出する中間フィン部１２ｄが形成されている。また、室内側面１２ｂを構成する面のうち内周面１２ａより見付方向内側に突出する部分は、内障子２を構成する縦框２２の室内側面と対向する室内フィン部１２ｆとなっている。室内フィン部１２ｆの先端部には、気密材１２ｇが設けられて内障子２の室内側面に当接し、内障子２縦辺の気密性を確保している。
【００２７】
縦枠１２のうち、閉じた状態の外障子３が配置される側の内周面１２ａには、外障子３の外周面に向かって突出する中間フィン部１２ｄが形成されている。また、中間フィン部１２ｄより室内側の内周面１２ａからは、外障子３を構成する縦框２２の室内側面と対向する室内フィン部１２ｆが突出しており、その先端部には気密材１２ｇが設けられて外障子３の室内側面に当接し、外障子３縦辺の気密性を確保している。
【００２８】
框体４を構成する上框２０は、内周側にはパネル体５の端部を納めるパネル飲込部２０ａを有し、外周側には上枠１０の内上レール部１０ｄまたは外上レール部１０ｅを飲み込んで案内されるレール案内部２０ｂを有している。レール案内部２０ｂは断面凹状となっており、その開口付近には室内外にそれぞれ気密材２０ｃが設けられていて、これらが内上レール部１０ｄまたは外上レール部１０ｅに当接することで、内障子２及び外障子３上辺の気密性を確保している。
【００２９】
框体４を構成する下框２１は、内周側にパネル体５の端部を納めるパネル飲込部２１ａを有している。下框２１の外周側、すなわち下端部には戸車２１ｄが設けられており、戸車２１ｄが下枠１１の内レール部１１ｂまたは外レール部１１ｃに載置されることにより、内障子２や外障子３を移動自在としている。
【００３０】
下框２１の室内側面には、下端部が下方に延出された室内面延出部２１ｂが形成されている。内障子２の室内面延出部２１ｂは下枠１１の内障子対向部１１ｄと対向し、外障子３の室内面延出部２１ｂは下枠１１の外障子対向部１１ｅと対向して、気密材１１ｆに当接する。下框２１の室外側面にも、下端部が下方に延出された室外面延出部２１ｃが形成されている。室外面延出部２１ｃは、内レール部１１ｂまたは外レール部１１ｃの上端より下方まで延出されており、風雨の室内側への吹き込みを防止している。
【００３１】
框体４を構成する縦框２２は、内周側にパネル体５の端部を納めるパネル飲込部２２ａを有している。縦框２２の外周側には縦枠１２の中間フィン部１２ｄを飲み込む凹状のフィン飲込部２２ｃが形成されている。フィン飲込部２２ｃを構成する室内側面は、縦枠１２の室内フィン部１２ｆに設けられる気密材１２ｇに対して当接し、これによって内障子２及び外障子３縦辺の気密性を確保している。
【００３２】
縦框２２のパネル飲込部２２ａには、長手方向中間位置の室内側部分に、樹脂製のピース状からなる縦引き寄せ部材２５が設けられている。縦引き寄せ部材２５は、内障子２または外障子３が閉じた状態で、パネル飲込部２２ａの室内側面と縦枠１２の中間フィン部１２ｄとに挟まれる形状を有しており、内障子２または外障子３を閉じた際に、縦框２２が室内外方向に振れないようにすると共に、内障子２または外障子３を室内側に引き寄せて、縦框２２が確実に縦枠１２の気密材１２ｇに当接するようにしている。
【００３３】
框体４を構成する召合わせ框２３は、内周側にパネル体５の端部を納めるパネル飲込部２３ａを有している。また、外障子３を構成する召合わせ框２３の室内側壁部２３ｂと、内障子２を構成する召合わせ框２３の室外側壁部２３ｃには、それぞれ略Ｌ字状に形成され内障子２と外障子３が閉じた状態で互いに噛み合う煙返し部２３ｇが形成されている。また、内障子２を構成する召合わせ框２３の室外側壁部２３ｃには、気密材２３ｈが設けられている。煙返し部２３ｇによって、内障子２と外障子３の召合わせ部分における隙間が塞がれ、さらに気密材２３ｈによって召合わせ辺の気密性を確保している。
【００３４】
次に、召合わせ框２３における防火性能の確保について詳細に説明する。火災が発生してサッシが高温に晒されると、框体４を構成する各框材には熱膨張が生じ、召合わせ框２３は長手方向に伸びると共に、他の框材に引っ張られて屈曲する。召合わせ框２３が大きく屈曲すると、互いに噛み合って隙間を塞いでいる煙返し部２３ｇが離れてしまうので、ここに隙間が生じ、防火性能を低下させる。そこで、本実施形態では、召合わせ框２３が屈曲し、煙返し部２３ｇが離れても、召合わせ框２３の上端部が室内外方向に動かないよう、振止めすることにより、隙間が生じることを防止し、防火性能を確保しようとしている。
【００３５】
図３には外障子３の召合わせ框２３の平面図を、図４には内障子２の召合わせ框２３の平面図を、それぞれ示している。召合わせ框２３の上端部には、上枠１０の内上レール部１０ｄまたは外上レール部１０ｅに対して長手方向に摺接自在な召合わせ振止部材２４が設けられている。
【００３６】
召合わせ框２３は、室内側壁部２３ｂと室外側壁部２３ｃ、内周壁部２３ｄ及び外周壁部２３ｅに囲まれた中空部分を有しており、この中空部分に召合わせ振止部材２４が挿入される。図３に表れているのは、召合わせ振止部材２４を構成する部品のうち、樹脂からなる摺動部品２６及び軟質材からなる上面部品２７であり、これらが上枠１０の外上レール部１０ｅに対して摺接する。
【００３７】
召合わせ振止部材２４は、上枠１０の外上レール部１０ｅに対して摺接する摺接部２６ｂを開口に有する溝部分を有し、この溝部分は外障子３が移動する方向に沿って設けられている。召合わせ框２３の内周壁部２３ｄと外周壁部２３ｅには、それぞれ召合わせ振止部材２４の溝部分と連続して上枠１０の外上レール部１０ｅを飲み込むＵ字状の切欠部２３ｉが形成されている。
【００３８】
図４に示すように、内障子２の召合わせ框２３は、室内側壁部２３ｂと室外側壁部２３ｃ、内周壁部２３ｄ及び外周壁部２３ｅに囲まれた中空部分を有すると共に、その室内側には張出中空部２３ｆを有している。内障子２においても、室内側壁部２３ｂと室外側壁部２３ｃ、内周壁部２３ｄ及び外周壁部２３ｅに囲まれた中空部分に召合わせ振止部材２４が挿入される。その構成は、外障子３と同様である。
【００３９】
図５には、召合わせ振止部材２４の正面図を示している。召合わせ振止部材２４は、金属からなる本体部品２５と、樹脂からなる摺動部品２６及び軟質材からなる上面部品２７とで構成されている。摺動部品２６は、本体部品２５のうち召合わせ框２３の内周側に面する側の側面に取付けられており、上枠１０の内上レール部１０ｄまたは外上レール部１０ｅを飲み込む樹脂溝部２６ａと、上枠１０の内上レール部１０ｄまたは外上レール部１０ｅに対して摺接する摺接部２６ｂとを有している。
【００４０】
図６には本体部品２５の斜視図を、図７には本体部品２５の正面図を、それぞれ示している。図６において本体部品２５は、召合わせ框２３の内周側に向かって配置される側が、手前側となるように描かれている。図６に示すように、本体部品２５は、略四角形状をなすように形成されており、上面部２５ａと下面部２５ｂ及び２つの側面部２５ｃ、２５ｄを有している。本体部品２５の側面部２５ｃ、２５ｄは、それぞれ溝状の金属溝部２５ｅを有している。また、本体部品２５の上面部２５ａには、両側面部２５ｃ、２５ｄの金属溝部２５ｅ、２５ｅを連続させる上面溝部２５ｇが形成されている。これらによって形成される溝部分に、上枠１０の内上レール部１０ｄまたは外上レール部１０ｅが飲み込まれる。
【００４１】
図７に示すように、金属溝部２５ｅは、開口部２５ｆがやや幅狭で、その奥側がやや幅広となるように形成されている。金属溝部２５ｅの開口部２５ｆは、上枠１０の内上レール部１０ｄまたは外上レール部１０ｅの厚みよりも幅が広くなっている。このため、摺動部品２６や上面部品２７が内上レール部１０ｄまたは外上レール部１０ｅに摺接する通常の状態では、本体部品２５はこれらに摺接しない。
【００４２】
図８には、上面部品２７の斜視図を示している。この図は、上面部品２７を本体部品２５と当接する下面側から見た図である。この図に示すように、上面部品２７は、本体部品２５の上面部２５ａを覆う上面被覆部２７ａを備え、上面被覆部２７ａの長手方向に沿う一辺がヒレ状の摺接部２７ｂとなっている。また、上面被覆部２７ａの下面側には突出状に固定部２７ｃが形成されており、この固定部２７ｃで本体部品２５の上面部２５ａを抱きかかえるようにすることで、上面部品２７が本体部品２５に取付けられる。本体部品２５の上面部２５ａは、前述のように上面溝部２５ｇによって２つに分かれており、それらそれぞれに上面部品２７が取付けられる。
【００４３】
図９には、召合わせ振止部材２４の側面図を示している。この図に示すように、本体部品２５の下面部２５ｂと、摺動部品２６が設けられる側と反対側の側面部２５ｄには、それぞれ内面側に加熱発泡剤２８が設けられる。加熱発泡剤２８は、所定温度以上になると発泡して体積が数十倍に増加するものであり、火災発生時にサッシが高温に晒されるのに伴い、発泡して召合わせ振止部材２４内を塞ぎ、溶融する摺動部品２６が流れ出して着火することを防止できる。
【００４４】
図１０には、上枠１０の召合わせ部分における縦断面図を示している。この図には、框体４を構成する上框２０につき破線で示している。上枠１０の召合わせ部分には、金属製の増厚部材１３が設けられる。上枠１０の内周面１０ａには、内上レール部１０ｄと外上レール部１０ｅの間に凹部１０ｆが形成されており、増厚部材１３は、上枠１０の凹部１０ｆに納められて固定される板状の基部１３ａと、基部１３ａの室内外両端部から下方にそれぞれ垂下される室内フィン部１３ｂ及び室外フィン部１３ｃを有して構成されている。
【００４５】
増厚部材１３の室内フィン部１３ｂは、上枠１０の内上レール部１０ｄの根元側部に重合し、その部分の厚みを大きくしている。また、増厚部材１３の室外フィン部１３ｃは、上枠１０の外上レール部１０ｅの根元側部に重合し、その部分の厚みを大きくしている。増厚部材１３の室内フィン部１３ｂと室外フィン部１３ｃは、内上レール部１０ｄや外上レール部１０ｅが上框２０に飲み込まれる先端側にはかからない長さに形成されており、通常時には内障子２や外障子３の案内を阻害しないようにしている。
【００４６】
また、増厚部材１３と上枠１０の長手方向に隣接する位置には、上面ヒレ部材１４が設けられる。上面ヒレ部材１４は、軟質のヒレ部を上枠１０の長手方向に沿って複数有しており、内障子２と外障子３の召合わせ框２３の上端部に当接することで、召合わせ上部における気密性を確保するためのものである。さらに、増厚部材１３及び上面ヒレ部材１４が設けられる上枠１０の内周面１０ａには、内障子２や外障子３が枠体１から外れないようにするための上ストッパー部材１５も設けられる。
【００４７】
上枠１０の内周面１０ａに形成される凹部１０ｆには、上ストッパー部材１５と増厚部材１３の基部１３ａとが重ねて納められ、さらに増厚部材１３に形成される保持部１３ｄには加熱発泡剤１６が設けられ、増厚部材１３と加熱発泡材１６が上ストッパー部材１５にビス止めされる。
【００４８】
図１１には、増厚部材１３と上面ヒレ部材１４及び上ストッパー部材１５の配置関係を表した平面図を示している。この図には、内障子２と外障子３の召合わせ框２３、２３及び上框２０について破線で表している。この図に示すように、増厚部材１３は室内フィン部１３ｂと室外フィン部１３ｃが召合わせ框２３の召合わせ振止部材２４が設けられる中空部分にかかるように配置されている。また、前述のように、増厚部材１３の両側に隣接して上面ヒレ部材１４が配置される。
【００４９】
上ストッパー部材１５には、上枠１０に固定される板状部１５ａの両端部に、内障子ストッパー部１５ｂと外障子ストッパー部１５ｃとが形成されている。これらは、内障子２や外障子３が上方に持ち上がった際に上框２０に当接して、これらが枠体１から外れることを防止する機能を有している。
【００５０】
図１２には、増厚部材１３と上面ヒレ部材１４及び上ストッパー部材１５の配置関係を表した側面図を示している。この図に示すように、上ストッパー部材１５の内障子ストッパー部１５ｂと外障子ストッパー部１５ｃは、いずれも下方に向かって突出状に形成されている。
【００５１】
上ストッパー部材１５は、内障子ストッパー部１５ｂ近傍の内周側に設けられるビス１７と、外障子ストッパー部１５ｃ近傍の外周側に設けられるビス１８とが、それぞれ上枠１０に対して押付けられることにより、上枠１０の長手方向に移動できないように固定されている。内障子２や外障子３を枠体１から取り外す際には、これらのビス１７、１８を緩めることで、上ストッパー部材１５を上枠１０の長手方向に移動自在とすることができる。
【００５２】
図１３には、ビス１８による外障子ストッパー部１５ｃの高さ調整について表した図を示している。この図に示すように、ビス１８を上ストッパー部材１５に対してよりねじ込むことにより、ビス１８は傾斜し、外障子ストッパー部１５ｃも傾斜して突出高さが大きくなる。外障子ストッパー部１５ｃは、通常時には上框２０と干渉しない一方、上框２０が持ち上がった際には確実に当接して外障子３が外れないようにする必要があるが、図１３に示す構成により、外障子ストッパー部１５ｃの高さを正確に調整することができる。
【００５３】
図１４には、外れ止め部品２９を有する位置における下枠１１付近の拡大縦断面図を示している。外障子３の下框２１には、戸車２１ｄと干渉しないように外れ止め部品２９が設けられる。外れ止め部品２９は、下框２１の外周面から下方に延びて、その下端部には外れ止め部２９ａが設けられており、下框２１の長手方向中央位置に配置される。
【００５４】
外れ止め部２９ａは、下枠１１の外障子対向部１１ｅの下方に潜り込むように配置されるので、外障子３が持ち上がろうとすると外障子対向部１１ｅと干渉し、外障子３が外レール部１１ｃから外れることを防止することができる。一方で、外れ止め部２９ａがあることにより、外障子３を枠体１に対してそのままでは着脱することができない。このため、外障子対向部１１ｅは、内障子２と外障子３の召合わせ部分となる中央位置で切り欠かれており、外障子３を所定幅だけ開いた状態で外れ止め部２９ａが外障子対向部１１ｅの切欠部分に配置されるようにしている。これにより、外障子３は開閉方向の所定位置でのみ、着脱することができる。
【００５５】
しかし、通常の使用時においては、外障子３が着脱自在な所定位置でも、持ち上がることで枠体１から外れることは不都合であるため、上枠１０の外障子ストッパー部１５ｃによって、外障子３が外れることを防止している。このため、外障子ストッパー部１５ｃは、外障子３が着脱自在な所定位置で、上框２０と確実に対向する位置、すなわち召合わせ位置近傍に設ける必要がある。
【００５６】
一方、サッシが高温に晒されて框体４を構成する框材が伸び、外障子３の召合わせ框２３や上框２０が上枠１０に近づいた際に、外障子ストッパー部１５ｃがそれを阻害すると、後述する召合わせ框２３の引き寄せを確実に行うことができないため、図１１に示すように、外障子ストッパー部１５ｃは外障子３が閉じた状態において、外障子３の上辺と対向しない位置に配置される。
【００５７】
図１５には、火災発生時における上枠１０と召合わせ振止部材２４を構成する本体部品２５との位置関係を表した拡大縦断面図を示している。この図において、破線で示す召合わせ振止部材２４の本体部品２５は、通常時の位置を表しており、実線で示す召合わせ振止部材２４の本体部品２５は、火災発生時の位置を表している。通常時には、本体部品２５は、金属溝部２５ｅで内上レール部１０ｄと外上レール部１０ｅの先端側部分を飲み込んでおり、前述のように樹脂製の摺動部品２６や軟質材からなる上面部品２７によって、上枠１０に直接は当接しない。
【００５８】
火災が発生してサッシが高温に晒されると、摺動部品２６や上面部品２７、上面ヒレ部材１４などは溶融して溶け落ちる。また、框体４を構成する各框材も熱膨張により伸びて、召合わせ框２３も上下方向に伸びるから、召合わせ框２３の上端部に取付けられている召合わせ振止部材２４の本体部品２５は、内上レール部１０ｄや外上レール部１０ｅの根元部まで飲み込むこととなる。
【００５９】
内上レール部１０ｄと外上レール部１０ｅの根元側部は、増厚部材１３の室内フィン部１３ｂと室外フィン部１３ｃによって厚みが大きくなっており、本体部品２５に形成される金属溝部２５ｅの開口部付近は、重合する内上レール部１０ｄと室内フィン部１３ｂ、及び外上レール部１０ｅと室外フィン部１３ｃの厚みと同等の幅を有してなるから、これらに嵌合する。これにより、本体部品２５は室内外方向に振止めされるから、本体部品２５が取付けられた召合わせ框２３も室内外方向に振れることが防止される。したがって、火災時に煙返し部２３ｇが互いに噛み合う状態が維持されなくなっても、内外障子２、３間に隙間を生じることを防止でき、防火性能を確保することができる。
【００６０】
このように、本実施形態では、召合わせ框２３の上端部に金属製の本体部品２５を設け、上枠１０には増厚部材１３を設けて内上レール部１０ｄと外上レール部１０ｅの根元側部の厚みを大きくし、通常時には本体部品２５が金属溝部２５ｅで内上レール部１０ｄと外上レール部１０ｅの先端側部分を飲み込んでこれらと直接は当接せず、火災発生時には本体部品２５が金属溝部２５ｅで内上レール部１０ｄと外上レール部１０ｅの根元側部まで飲み込んでこれらと嵌合し、召合わせ框２３を振止めするようにしたことで、簡易な構成で確実に煙返し部２３ｇの噛み合い状態が維持されなくても隙間の発生を防止することができる。
【００６１】
本実施形態では、増厚部材１３を上枠１０に取付けることで、内上レール部１０ｄと外上レール部１０ｅの根元側部の厚みを大きくしているが、上枠１０の形状自体をそのように形成することもでき、その場合には増厚部材１３が不要となるので部品点数を削減することができる。
【００６２】
また、上枠１０側でなく、召合わせ框２３の上端金属部分を構成する本体部品２５側の形状によって、火災発生時に金属溝部２５ｅが内上レール部１０ｄと外上レール部１０ｅの根元側部に嵌合するようにしてもよい。図１６には、第２の実施例の本体部品２５の斜視図を示している。第２の実施例の本体部品２５は、凹状部となる金属溝部２５ｅの開口側については、図６に示すものと同様である。一方で、金属溝部２５ｅの奥側の部分について、上枠１０の内上レール部１０ｄと外上レール部１０ｅの厚みと同等の幅を有する幅狭部２５ｇが形成されている。第２の実施例の本体部品２５を用いる場合には、上枠１０の内上レール部１０ｄと外上レール部１０ｅは先端部から根元部まで同じ厚みとする。
【００６３】
この場合に、火災発生時に召合わせ框２３が上枠１０に近づくと、本体部品２５の金属溝部２５ｅが内上レール部１０ｄと外上レール部１０ｅの奥側まで飲込み、金属溝部２５ｅの奥側に形成された幅狭部２５ｇが、内上レール部１０ｄと外上レール部１０ｅの先端部分に嵌合する。これによっても、召合わせ框２３の振止めをなすことができる。
【００６４】
また、召合わせ框２３の内周壁部２３ｄ及び外周壁部２３ｅに形成される形状によって、召合わせ框２３の振止めをなすこともできる。図１７には、召合わせ框２３の形状によって振止めをなすサッシの縦断面図を示している。この図のサッシの基本構成は、図１及び図２に示したものと同様であるので、説明を省略する。
【００６５】
召合わせ框２３の上端金属部分を構成する内周壁部２３ｄと外周壁部２３ｅには、前述のように略Ｕ字状の切欠部２３ｉが形成される。内障子２の召合わせ框２３に形成される切欠部２３ｉは、室外下端部付近が盛り上がる凸状部２３ｊを有し、切欠部２３ｉの最奥部は室内側に偏って狭くなる形状となっている。一方、外障子３の召合わせ框２３に形成される切欠部２３ｉは、室内下端部付近が盛り上がる凸状部２３ｊを有し、切欠部２３ｉの最奥部は室外側に偏って狭くなる形状となっている。
【００６６】
図１８には、火災発生時の状態における上枠１０と框体４との関係を表した拡大縦断面図を示している。この図に示すように、火災が発生してサッシが高温に晒されると、框体４を構成する各框材は熱膨張により伸びて、框体４の上端部は上枠１０の内周面１０ａに突き当たる。このとき、召合わせ框２３の切欠部２３ｉに形成された凸状部２３ｊが内上レール部１０ｄまたは外上レール部１０ｅに当接することにより、内障子２は室外側に、外障子３は室内側に、それぞれ引き寄せられる。したがって、内障子２と外障子３の煙返し部２３ｇにおける噛み合い状態が維持されなくても、隙間の発生を防止することができる。
【００６７】
図１７に示すように、框体４の下端部においては、上端部と同様、召合わせ框２３に切欠部２３ｋが形成されている。下端部の切欠部２３ｋには、内障子２と外障子３いずれも、室内上端部付近が盛り上がる凸状部２３ｍが形成されており、切欠部２３ｋの最奥部は室外側に偏った形状となっている。このため、火災発生時に下框２１が下枠１１の内周面１１ａに近づくと、凸状部２３ｍが内レール部１１ｂまたは外レール部１１ｃに当接することにより、内障子２と外障子３はいずれも室内側に引き寄せられる。これにより、下框２１を下枠１１の内障子対向部１１ｄ及び外障子対向部１１ｅにそれぞれ設けられる気密材１２ｇに当接した状態を維持することができる。
【００６８】
図１７では、召合わせ框２３の切欠部２３ｉ、２３ｋに凸状部２３ｊ、２３ｍを形成して、火災発生時における框体４の引き寄せを行うこととしたが、召合わせ框２３の切欠部２３ｉ、２３ｋはＵ字状に形成しておき、召合わせ框２３の内周壁部２３ｄ及び外周壁部２３ｅに、切欠部と凸状部を有する形状のプレートを固定することによっても、同様の機能を持たせることができる。
【００６９】
また、別の部品を用いることで召合わせ框２３の引き寄せを行うようにしてもよい。図１９には、内障子２の上框２０に振止部品３０を適用した場合の上枠１０付近拡大縦断面図を示している。この図に示すように、上框２０の上端部には、上端金属部分を構成する振止部品３０が設けられている。振止部品３０は、上框２０に対して固着される基部３１と、基部３１から上方に向かって伸びる室内立ち上がり部３２と室外立ち上がり部３３とを有して構成されている。
【００７０】
図２０には、振止部品３０の平面図を示している。この図に示すように、基部３１から伸びる室内立ち上がり部３２と室外立ち上がり部３３は、長手方向で異なる位置に形成されている。そして、図１９に示されているように、室内立ち上がり部３２と室外立ち上がり部３３は、それぞれ立ち上がり位置側が傾斜状となっており、側面視における両者の間隔は、立ち上がり位置側、すなわち奥側に向かって狭くなるように形成されている。ただし、図１９に示すように、通常時において振止部品３０は、上枠１０の内上レール部１０ｄの飲み込み深さが小さいため、これと接することはなく、障子の開閉に支障がないようにされている。
【００７１】
図２１には、火災発生時の状態における上枠１０と上框２０の位置関係を表した拡大縦断面図を示している。この図に示すように、サッシが高温に晒されて上框２０が上枠１０の内周面１０ａに近づくと、上枠１０の内上レール部１０ｄを振止部品３０が深く飲み込み、内上レール部１０ｄの先端付近は、振止部品３０の室内立ち上がり部３２と室外立ち上がり部３３によって形成される幅の狭い部分に配置される。これにより、上框２０が室内外方向に振れることを防止し、召合わせ框２３における煙返し部２３ｇの噛み合い状態が維持されなくても、隙間の発生を防止することができる。また、振止部品３０を上框２０の中央位置に設けることもできる。その場合には、振止部品３０により上框２０の中央部分においても振止めをなすことができ、隙間発生の防止をより一層、確実にすることができる。
【００７２】
以上、本発明の実施形態について説明したが、本発明の適用は本実施形態には限られず、その技術的思想の範囲内において様々に適用されうるものである。例えば、本実施形態では内外障子２、３が枠体１内に引き違い状に納められるものとしたが、内外障子２、３のいずれかが枠体１に固定された片引きサッシであっても、同様に本発明を適用できる。
【符号の説明】
【００７３】
１    枠体
２    内障子
３    外障子
４    框体
５    パネル体
１０    上枠
１０ｄ  内上レール部
１０ｅ  外上レール部
１１    下枠
１２    縦枠
１３    増厚部材
１３ａ  基部
１３ｂ  室内フィン部
１３ｃ  室外フィン部
２０    上框
２１    下框
２２    縦框
２３    召合わせ框
２３ｇ  煙返し部
２４    召合わせ振止部材
２５    本体部品
２５ｅ  金属溝部
２５ｆ  開口部
２５ｇ  上面溝部
２６    摺動部品
２６ａ  樹脂溝部
２６ｂ  摺接部
２７    上面部品
【図１】
2013113063.tif 000003
【図２】
2013113063.tif 000004
【図３】
2013113063.tif 000005
【図４】
2013113063.tif 000006
【図５】
2013113063.tif 000007
【図６】
2013113063.tif 000008
【図７】
2013113063.tif 000009
【図８】
2013113063.tif 000010
【図９】
2013113063.tif 000011
【図１０】
2013113063.tif 000012
【図１１】
2013113063.tif 000013
【図１２】
2013113063.tif 000014
【図１３】
2013113063.tif 000015
【図１４】
2013113063.tif 000016
【図１５】
2013113063.tif 000017
【図１６】
2013113063.tif 000018
【図１７】
2013113063.tif 000019
【図１８】
2013113063.tif 000020
【図１９】
2013113063.tif 000021
【図２０】
2013113063.tif 000022
【図２１】
2013113063.tif 000023